(57)【要約】【課題】雨の日や雪の日（スキー場等含）またはプールサイドや海辺（魚釣り等の場合）等において所持・使用する、折畳み携帯電話器用キャリーケースを提供するものである。【解決手段】３枚のフイルムシートの縁を貼り付けＹ状の袋体を形成し、袋体の２端は封止し１端は開放した袋状ケース本体を構成する。この袋状ケースの開閉部付近に雄側突条と雌側溝の嵌合及び当該嵌合の解消により開閉するファスナー等で密閉し防水・防塵出来るようにし、且つ開閉部縁はスライダー付のファスナー等で開閉できるようにして落下防止出来るようにする。またＹ状に貼り付け封止した内の１端Ｂは補助室になり折畳み電話器の開閉がよりスムーズになり、折畳み携帯電話器の真中部にあるアンテナの収納場所になる。更にこのＢ部の中心部付近に全周切縁を閉じて防水処理した吊下げ用の孔を開け紐等で吊るす事により電話器本体が開かないようにする。【選択図】　　　　図１
2004057373.tif 000002
【特許請求の範囲】
【請求項１】
３枚のフイルムシートの縁を貼り付けＹ状の袋体を形成し、袋体の２端は封止し１端Ａは開放し、Ａ部分には防水できる密閉手段を設けたことを特徴とする折り畳み携帯電話器用キャリーケース。
【請求項２】
開放した１端Ａを雄側突条と雌側溝の嵌合及び当該嵌合の解消により開閉するファスナー等で密閉し、且つ開閉部縁にはスライダー付の雄側突条と雌側溝の嵌合及び当該嵌合の解消により開閉するファスナー等を取り付けたことを特徴とする請求項１記載の折畳み携帯電話器用キャリーケース。
【請求項３】
Ｙ状に封止した袋体の２端の内の１端に全周切縁を閉じて防水した吊下げ用の孔を開けたことを特徴とする請求項１，２記載の折畳み携帯電話器用キャリーケース。
【請求項４】
Ｙ状に封止した袋体の２端の内の１端は幅を他の２端より狭くしたことを特徴とする請求項１，２，３記載の折畳み携帯電話器用キャリーケース。
【発明の詳細な説明】
【０００１】
【発明の属する技術分野】
この発明は、折畳み携帯電話器用キャリーケースに関し、更に詳しくは折畳み携帯電話器を収納した状態でも十分な通話が可能であり透明フイルムシートを使用することで操作性もよく、且つ防水性や防塵性に優れ、移動の際にも電話器が開くことがなく、携帯に便利な折畳み携帯電話器用キャリーケースに関するものである。
【０００２】
【従来の技術】
従来の携帯電話器用防水ケースは、筒型状のものが一般的で折畳み携帯電話器を収納したまま、畳んだり開いたりできるものは無い。また移動時等に多少の運動があっても電話器本体が開かない構造のものは無く、安心して持ち運びできるものが無かった。また従来は軟質塩化ビニル樹脂フイルムを使用しているため折畳み時にフイルム同士が粘着する。
【０００３】
【発明が解決しようとする課題】
本発明は、折畳み携帯電話器を収納したまま使用でき（通話・操作ができる）防水性・防塵性があり、折畳んだり開いたりがスムーズにできるか。すべての折畳み携帯電話器に対応できる構造になっているか。容易に折畳み携帯電話器本体が開かないようにできないか。持ち運びが容易にできるか。折畳み携帯電話器を折畳んで置くときフイルムシート同士の粘着を軽減できないかが課題である。
【０００４】
【課題を解決するための手段】
上記の課題を解決するため本発明の折畳み携帯電話器用キャリーケースにおいては、３枚のフイルムシートの縁をＹ状に張り合わせ、２端Ｂ，Ｃは封止し１端Ａは開放する。開放したＡ部分には防水できる密閉手段を設け袋状にする。封止したＢ部分は補助室になり折畳み電話器の開閉がよりスムーズにできる、またこの補助室は折畳み携帯電話器の真中から出ているアンテナの収納スペースになり、すべての折畳み携帯電話器に対応できる構造になっている。
【０００５】
ケース本体の開閉部Ａ付近の密閉手段には、雄側突条と雌側溝の嵌合及び当該嵌合の解消により開閉するファスナー等を用い密閉し防水・防塵出来るようにする。また開閉部縁はスライダー付の雄側突条と雌側溝の嵌合及び当該嵌合の解消により開閉するファスナー等を取り付け落下防止出来るようにした２重構造になっている。
【０００６】
この補助室のＢ端付近に全周切縁を閉じて防水した吊下げ用の孔を開け紐等で吊るす事により電話器本体が開くことを防止したものである。したがって孔を開ける位置はＢ端でなければならない。
【０００７】
フイルムシートには、軟質塩化ビニル樹脂フイルムやナイロンフイルム、ポリエチレンフイルム等も使用可能であるが、フイルムシート同士の粘着を軽減するためオレフィンフイルムシートを使用することが望ましい。
【０００８】
折畳み携帯電話器がケースの内部でずれたりしないため、Ｙ状に封止した袋体の２端の内の１端Ｃは幅を他の２端より狭くすることが望ましい。
【０００９】
【実施例】
本発明の実施の形態を実施例にもとづき図面を参照して説明する。図１は本発明の折畳み電話器ケースの斜視図である。図２は図１のａ−ａ線断面図である
【００１０】
図１において、３枚のフイルムシート２，３，４をＹ状に貼り付け開放したＡと封止したＢ、Ｃからなる袋状ケースを作る。詳しくは図３で示す斜線部分を融着し３枚のシートをＹ状に貼り付け、開放した１端と封止した２端からなる袋状ケースである。更にＡ部には図２に示されるような、雄側突条と雌側溝の嵌合及び当該嵌合の解消により開閉するファスナー６，７等を取り付け、且つ開閉部縁はスライダー１０付の雄側突条と雌側溝の嵌合及び当該嵌合の解消により開閉するファスナー８，９等を取り付けた二重構造にする。
【００１１】
Ｂ部は全周切縁を閉じて防水した吊下げ用の孔１１を開け紐等で吊るせるようにする。吊下げるために紐等のほかにストラップやキーホルダー等を使うことで、より携帯性のよい折畳み携帯電話器用キャリーケースができる。
【００１２】
図２におけるＢ部分の図中符号１２は、内部がフイルムシート３，４からなる補助室になっており携帯電話器本体のアンテナを収納できる。
【００１３】
３枚のフイルムシート２，３，４はオレフィンフイルムシートを使用している。
【００１４】
Ｙ状に封止した袋体の２端の内の１端Ｃは幅を他の２端より狭くすることにより折畳み携帯電話器がケース内部で動きにくく、ずれを防止することができる。
【００１５】
【発明の効果】
本発明は、以上説明したように構成されているので、以下に記載されるような効果を奏する。
【００１６】
３枚のフイルムシートをＹ状に張り合わせ、Ｂ部分に補助室を設けることで折畳み電話器の開閉がよりスムーズにできるようになり、またこの補助室を設けることにより折畳み携帯電話器の真中から出ているアンテナの収納スペースにもなりすべての折畳み携帯電話器に対応できる。
【００１７】
ケース本体の開閉部Ａ付近に雄側突条と雌側溝の嵌合及び当該嵌合の解消により開閉するファスナー等で密閉し、また開閉部縁はスライダー付の雄側突条と雌側溝の嵌合及び当該嵌合の解消により開閉するファスナー等を取り付けた二重構造にすることにより、より信頼性の高い防水性・防塵性があり落下防止出来るようなケースができる。
【００１８】
補助室のＢ端付近に全周切縁を閉じて防水した吊下げ用の孔を開け紐等で吊るす事により電話器本体が開くことが防止でき、開くことにより発生する誤操作や液晶画面の保護ができる。また紐やストラップ、キーホルダー等で吊るす事で、より携帯性のよい折畳み携帯電話器用キャリーケースができる。
【００１９】
Ｙ状に封止した袋体の２端の内の１端Ｃは幅を他の２端より狭くすることにより折畳み携帯電話器がケース内部で動きにくく、ずれを防止することができる。
【００２０】
オレフィンフイルムシートを使用することで、フイルム同士の粘着を軽減することができ、更にケース本体と電話器の粘着も軽減でき操作性が向上し電話器本体の出し入れが容易になった。またオレフィンフイルムは耐寒強度があるため冬季でも操作性がよい、更にオレフィンは焼却しても有毒ガスなどの発生がなく、リサイクルが容易など地球環境に優しい。
【図面の簡単な説明】
【図１】本発明の折畳み携帯電話器用キャリーケースの概略斜視図。
【図２】図１のａ−ａ線断面図。
【図３】正面図。
【図４】折畳み携帯電話器ケースを開いた状態の概略斜視図。
【図５】折畳み携帯電話器を入れてケースを開いた状態の概略斜視図。
【図６】図５のｂ−ｂ線断面図。
【図７】本発明のケースにアンテナが中心にあるタイプの折畳み電話器を入れた状態の概略斜視図。
【図８】アンテナが上に付いたタイプの折畳み電話器を入れた状態の縦断断面図。
【図９】アンテナが中心にあるタイプの折畳み電話器を入れた状態の縦断断面図。
【符号の説明】
１　携帯電話器用キャリーケース本体
２　オレフィンフイルムシート
３　オレフィンフイルムシート
４　オレフィンフイルムシート
５　携帯電話器本体
６　雄側突条ファスナー
７　雌側溝ファスナー
８　雄側突条ファスナー
９　雌側溝ファスナー
１０　ファスナースライダー
１１　吊下げ用孔
１２　補助室
１３　開口部
１４　折癖線
【図１】
2004057373.tif 000003
【図２】
2004057373.tif 000004
【図３】
2004057373.tif 000005
【図４】
2004057373.tif 000006
【図５】
2004057373.tif 000007
【図６】
2004057373.tif 000008
【図７】
2004057373.tif 000009
【図８】
2004057373.tif 000010
【図９】
2004057373.tif 000011